(57)【要約】【課題】あるユニット（記録媒体処理装置）と管理装置との通信のオフライン状態が発生した場合であっても、通常のオンライン状態の場合と同様に遊技者が遊技を可能とし、遊技者の動作を阻害しないようにした。【解決手段】ユニット３は、カード検出部３ａにより会員カード１が挿入されたことを検出すると、サーバー５との通信状態を判定する状態判定部３ｆが当該ユニット３と前記サーバー５との通信状態の判定を行い、この判定で通信不可能状態と判定されると、書込み読出し部３ｄが当該ユニット３と前記サーバー５とが通信不可能状態である旨を会員カード１の通信状態記録部１ｄに記録するとともに、挿入されている会員カード１の持玉情報記録部１ｂに記録されている持玉情報を用いての遊技を許容する。【選択図】        図１
2010227434.tif 000002
【特許請求の範囲】
【請求項１】
所定の情報を書き込み可能な遊技者用記録媒体と、この遊技者用記録媒体を検知可能とするとともに遊技場に複数配置する遊技機に対応して配置する記録媒体処理装置と、前記記録媒体処理装置と通信可能な管理装置とから成り、
前記遊技者用記録媒体は、当該遊技者を識別するための情報を記録する識別情報記録部と前記記録媒体処理装置が前記記録媒体排出指令手段から排出指令を受信したときに当該遊技者の持玉として保持している持玉情報を記録する持玉情報記録部と当該遊技者用記録媒体を排出した前記記録媒体処理装置がその排出時点における前記管理装置との通信状態を記録する通信状態記録部とを備え、
前記記録媒体処理装置は、前記遊技者用記録媒体を検知する検知部と、前記記録媒体排出指令検知部と、前記遊技者用記録媒体に対する書込み読出し部と、前記管理装置との送受信を行う通信部と、前記管理装置との通信状態を判定する状態判定部とを備え、
前記記録媒体処理装置は、前記検知部により前記遊技者用記録媒体を検知すると、前記状態判定部が当該記録媒体処理装置と前記管理装置との通信状態の判定を行い、この判定で通信不可能状態と判定されると、前記書込み読出し部が当該記録媒体処理装置と前記管理装置とが通信不能状態である旨を前記遊技者用記録媒体の通信状態記録部に記録するとともに、検知されている前記遊技者用記録媒体の持玉情報記録部に記録されている持玉情報を用いての遊技を許容することを特徴とする、遊技者管理システム。
【請求項２】
所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記記録媒体処理装置と通信可能な管理装置と、前記記録媒体処理装置と通信可能とし、前記各遊技機に対応して配置された各台計数機とから成り、
前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部と、当該遊技者用記録媒体を排出した前記記録媒体処理装置がその排出時点における前記管理装置との通信状態を記録する通信状態記録部とを備え、
前記記録媒体処理装置は、前記遊技者用記録媒体を検知する検知部と、前記記録媒体排出指令検知部と、持玉数演算部と、前記遊技者用記録媒体に対する書込み読出し部と、前記管理装置との送受信をする通信部と、前記管理装置との通信状態を判定する状態判定部と、遊技者による操作を不能化する処理を行う不能化制御部と、前記異常検知時の報知・表示制御部とを備え、
前記管理装置は、前記記録媒体処理装置との送受信を行う通信部と、前記記録媒体処理装置毎の動作履歴を記憶する履歴情報記憶部と、前記記録媒体処理装置から受信した遊技者用記録媒体排出場所情報から当該遊技者用記録媒体を排出した記録媒体処理装置を特定し、当該記録媒体処理装置についての履歴情報記憶部に記憶している履歴情報と前記記録媒体処理装置から受信した遊技者の識別情報及び持玉情報との照合を行う照合部とを備え、
第１の記録媒体処理装置は、前記記録媒体排出指令手段から排出指令を受信すると、排出場所が第１の記録媒体処理装置である旨を前記遊技者用記録媒体の前記遊技者用記録媒体排出場所情報記録部に記録して排出し、この排出された遊技者用記録媒体を検知した第２の記録媒体処理装置は、当該遊技者用記録媒体から読み出した所定情報を前記管理装置に送信し、前記管理装置は、この受信した前記遊技者用記録媒体排出場所情報から排出場所を特定するとともに、前記履歴情報記憶部からその特定された第１の記録媒体処理装置についての履歴を参照し、この履歴情報と受信した前記識別情報及び前記持玉情報とを照合し、照合の結果不一致の場合に前記第１の記録媒体処理装置に対して履歴情報の送信要求信号を送出し、前記第１の記録媒体処理装置からの応答がなければ前記第２の記録媒体処理装置に照会終了信号を送信し、この照合終了信号を受信した前記第２の記録媒体処理装置は検知されている前記遊技者用記録媒体の持玉情報記録部に記録されている持玉情報を用いての遊技を許容することを特徴とする、遊技者管理システム。
【請求項３】
所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記記録媒体処理装置と通信可能な管理装置と、前記記録媒体処理装置と通信可能とし、前記各遊技機に対応して配置された各台計数機とから成り、
前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部と、当該遊技者用記録媒体を排出した前記記録媒体処理装置がその排出時点における前記管理装置との通信状態を記録する通信状態記録部とを備え、
前記記録媒体処理装置は、前記遊技者用記録媒体を検知する検知部と、前記記録媒体排出指令検知部と、持玉数演算部と、前記遊技者用記録媒体に対する書込み読出し部と、前記管理装置との送受信をする通信部と、前記管理装置との通信状態を判定する状態判定部と、遊技者による操作を不能化する処理を行う不能化制御部と、前記異常検知時の報知・表示制御部とを備え、
前記管理装置は、前記記録媒体処理装置との送受信を行う通信部と、前記記録媒体処理装置毎の動作履歴を記憶する履歴情報記憶部と、前記記録媒体処理装置から受信した遊技者用記録媒体排出場所情報から当該遊技者用記録媒体を排出した記録媒体処理装置を特定し、当該記録媒体処理装置についての履歴情報記憶部に記憶している履歴情報と前記記録媒体処理装置から受信した遊技者の識別情報及び持玉情報との照合を行う照合部とを備え、
第１の記録媒体処理装置は、前記記録媒体排出指令手段から排出指令を受信すると、排出場所が第１の記録媒体処理装置である旨を前記遊技者用記録媒体の前記遊技者用記録媒体排出場所情報記録部に記録して排出し、この排出された遊技者用記録媒体を検知した第２の記録媒体処理装置は、当該遊技者用記録媒体から読み出した所定情報を前記管理装置に送信し、前記管理装置は、この受信した前記遊技者用記録媒体排出場所情報から排出場所を特定するとともに、前記履歴情報記憶部からその特定された第１の記録媒体処理装置についての履歴情報を参照し、この履歴情報と受信した前記識別情報及び前記持玉情報とを照合し、照合の結果不一致の場合に前記第１の記録媒体処理装置に対して履歴情報の送信要求信号を送出し、前記第１の記録媒体処理装置から履歴情報を受信した場合はその履歴情報と受信した前記識別情報及び持玉情報との照合を行い、照合の結果一致すると前記第２の記録媒体処理装置に照会終了信号を送信し、この照会終了信号を受信した前記第２の記録媒体処理装置は検知されている前記遊技者用記録媒体の持玉情報記録部に記録されている持玉情報を用いての遊技を許容することを特徴とする、遊技者管理システム。
【請求項４】
所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記記録媒体処理装置と通信可能な管理装置と、前記記録媒体処理装置と通信可能とし、前記各遊技機に対応して配置された各台計数機とから成り、
前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部と、当該遊技者用記録媒体を排出した前記記録媒体処理装置がその排出時点における前記管理装置との通信状態を記録する通信状態記録部とを備え、
前記記録媒体処理装置は、前記遊技者用記録媒体を検知する検知部と、前記記録媒体排出指令検知部と、持玉数演算部と、前記遊技者用記録媒体に対する書込み読出し部と、前記管理装置との送受信をする通信部と、前記管理装置との通信状態を判定する状態判定部と、遊技者による操作を不能化する処理を行う不能化制御部と、異常検知時の報知・表示部とを備え、
前記管理装置は、前記記録媒体処理装置との送受信を行う通信部と、前記記録媒体処理装置毎の動作履歴を記憶する履歴情報記憶部と、前記記録媒体処理装置から受信した遊技者用記録媒体排出場所情報から当該遊技者用記録媒体を排出した記録媒体処理装置を特定し、当該記録媒体処理装置についての履歴情報記憶部に記憶している履歴情報と前記記録媒体処理装置から受信した遊技者の識別情報及び持玉情報との照合を行う照合部とを備え、
第１の記録媒体処理装置は前記記録媒体排出指令手段から排出指令を受信すると、排出場所が第１の記録媒体処理装置である旨を前記遊技者用記録媒体の前記遊技者用記録媒体排出場所情報記録部に記録して排出し、この排出された遊技者用記録媒体を検知した第２の記録媒体処理装置は、当該遊技者用記録媒体から読み出した所定情報を前記管理装置に送信し、前記管理装置は、この受信した前記遊技者用記録媒体排出場所情報から排出場所を特定するとともに、前記履歴情報記憶部からその特定された第１の記録媒体処理装置についての履歴情報を参照し、この履歴情報と受信した前記識別情報及び前記持玉情報とを照合し、照合の結果不一致の場合に前記第１の記録媒体処理装置に対して履歴情報の送信要求信号を送出し、前記第１の記録媒体処理装置から履歴情報を受信した場合はその履歴情報と受信した前記識別情報及び前記持玉情報との照合を行い、照合の結果不一致の場合は前記第２の記録媒体処理装置に異常検知信号を送信し、この異常検知信号を受信した前記第２の記録媒体処理装置は、不能化制御部を動作させて当該第２の記録媒体処理装置の操作を不能化するとともに報知部により異常状態を報知することを特徴とする、遊技者管理システム。
【請求項５】
所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記各遊技機に対応して配置された各台計数機と、前記遊技者用記録媒体を読取可能とした景品交換を行うための景品処理装置と、この景品処理装置と通信可能な管理装置とから成り、
前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部とを備え、
前記景品処理装置は、前記遊技者用記録媒体に記載されている情報を読み出す読出し部と、景品交換処理部と、貯玉化処理部、前記管理装置との送受をする通信部と、報知部とを備え、
前記管理装置は、前記景品処理装置との送受信をする通信部と、前記記録媒体処理装置毎の動作履歴を記憶する履歴情報記憶部と、前記景品処理装置から受信した遊技者用記録媒体排出場所情報から記録媒体処理装置を特定し、当該記録媒体処理装置についての履歴情報記憶部に記憶している履歴情報と前記景品処理装置から受信した遊技者の識別情報及び持玉情報との照合を行う照合部とを備え、
前記記録媒体処理装置は、前記記録媒体排出指令手段から排出指令を受信すると、排出場所が当該記録媒体処理装置である旨を前記遊技者用記録媒体の前記遊技者用記録媒体排出場所情報記録部に記録して排出し、この排出された前記遊技者用記録媒体の記録情報が前記景品処理装置の読出し部で読み取られると、前記景品処理装置はこの読み取った所定情報を前記管理装置に送信し、前記管理装置は、この受信した前記遊技者用記録媒体排出場所情報から排出場所を特定するとともに、前記履歴情報記憶部からその特定された前記記録媒体処理装置についての履歴情報を参照し、この履歴情報と受信した前記識別情報及び前記持玉情報とを照合し、照合の結果不一致の場合に前記記録媒体処理装置に対して履歴情報の送信要求信号を送出し、前記記録媒体処理装置からの応答がなければ前記景品処理装置に照会終了信号を送信し、この照会終了信号を受信した前記景品処理装置は読み取った持玉情報を用いての景品交換処理又は貯玉化処理を許容することを特徴とする、遊技者管理システム。
【請求項６】
所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記各遊技機に対応して配置された各台計数機と、前記遊技者用記録媒体を読取可能とした景品交換を行うための景品処理装置と、この景品処理装置と通信可能な管理装置とから成り、
前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部とを備え、
前記景品処理装置は、前記遊技者用記録媒体に記載されている情報を読み出す読出し部と、景品交換処理部と、貯玉化処理部、前記管理装置との送受をする通信部と、報知部とを備え、
前記管理装置は、前記景品処理装置との送受信をする通信部と、前記記録媒体処理装置毎の動作履歴を記憶する履歴情報記憶部と、前記景品処理装置から受信した遊技者用記録媒体排出場所情報から記録媒体処理装置を特定し、当該記録媒体処理装置についての履歴情報記憶部に記憶している履歴情報と前記景品処理装置から受信した遊技者の識別情報及び持玉情報との照合を行う照合部とを備え、
前記記録媒体処理装置は、前記記録媒体排出指令手段から排出指令を受信すると、排出場所が当該記録媒体処理装置である旨を前記遊技者用記録媒体の前記遊技者用記録媒体排出場所情報記録部に記録して排出し、この排出された前記遊技者用記録媒体の記録情報が前記景品処理装置の読出し部で読み取られると、前記景品処理装置はこの読み取った所定情報を前記管理装置に送信し、前記管理装置は、この受信した前記遊技者用記録媒体排出場所情報から排出場所を特定するとともに、前記履歴情報記憶部からその特定された前記記録媒体処理装置についての履歴情報を参照し、この履歴情報と受信した前記識別情報及び前記持玉情報とを照合し、照合の結果不一致の場合に前記記録媒体処理装置に対して履歴情報の送信要求信号を送出し、前記記録媒体処理装置から履歴情報を受信した場合はその履歴情報と受信した前記識別情報及び持玉情報との照合を行い、照合の結果一致すると前記景品処理装置に照会終了信号を送信し、この照合終了信号を受信した前記景品処理装置は読み取った持玉情報を用いての景品交換処理又は貯玉化処理を許容することを特徴とする、遊技者管理システム。
【請求項７】
所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記各遊技機に対応して配置された各台計数機と、前記遊技者用記録媒体を読取可能とした景品交換を行うための景品処理装置と、この景品処理装置と通信可能な管理装置とから成り、
前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部とを備え、
前記景品処理装置は、前記遊技者用記録媒体に記載されている情報を読み出す読出し部と、景品交換処理部と、貯玉化処理部、前記管理装置との送受をする通信部と、報知部とを備え、
前記管理装置は、前記景品処理装置との送受信をする通信部と、前記記録媒体処理装置毎の動作履歴を記憶する履歴情報記憶部と、前記景品処理装置から受信した遊技者用記録媒体排出場所情報から記録媒体処理装置を特定し、当該記録媒体処理装置についての履歴情報記憶部に記憶している履歴情報と前記景品処理装置から受信した遊技者の識別情報及び持玉情報との照合を行う照合部とを備え、
前記記録媒体処理装置は、前記記録媒体排出指令手段から排出指令を受信すると、排出場所が当該記録媒体処理装置である旨を前記遊技者用記録媒体の前記遊技者用記録媒体排出場所情報記録部に記録して排出し、この排出された前記遊技者用記録媒体の記録情報が前記景品処理装置の読出し部で読み取られると、前記景品処理装置はこの読み取った所定情報を前記管理装置に送信し、前記管理装置は、この受信した前記遊技者用記録媒体排出場所情報から排出場所を特定するとともに、前記履歴情報記憶部からその特定された前記記録媒体処理装置についての履歴情報を参照し、この履歴情報と受信した前記識別情報及び前記持玉情報とを照合し、照合の結果不一致の場合に前記記録媒体処理装置に対して履歴情報の送信要求信号を送出し、前記記録媒体処理装置から履歴情報を受信した場合はその履歴情報と受信した前記識別情報及び持玉情報との照合を行い、照合の結果不一致の場合は前記景品処理装置に異常検知信号を送信し、この異常検知信号を受信した前記景品処理装置は、報知部により異常状態を報知することを特徴とする、遊技者管理システム。
【発明の詳細な説明】
【技術分野】
【０００１】
この発明は、遊技場の管理装置と記録媒体処理装置との間が通信不可能状態でも、遊技者の持玉による遊技に支障を与えないことを可能にした、遊技者管理システムに関するものである。
【背景技術】
【０００２】
従来の遊技場システムでは、一般的に遊技場に設置した管理装置と、多数の各遊技機に対応して配置したユニット（記録媒体処理装置）とが通信可能に構成されており、前記ユニットは随時必要な情報を管理装置と通信しながら遊技者によるユニットの操作を受け付けている。しかし、この従来のシステムでは、あるユニットと管理装置とが断線などの通信障害によってオフライン（通信不可能）状態となると、当該ユニットでは玉貸しなどの所要の操作ができず、そのユニットが使用できないものとなっていた。
【０００３】
これに対して特許文献１に示すように、オフライン時にも特定条件で玉貸しを可能として、遊技者による遊技を中断させないように配慮している技術が存在する。
【０００４】
【特許文献１】特開２００７−１４４０２７号公報
【発明の開示】
【発明が解決しようとする課題】
【０００５】
しかしながら、特許文献１に示すものは、オフライン時には入金操作をすることで玉貸しを行うもので、これによって遊技者は遊技を行うことができる。しかし、遊技者の持玉では遊技することができない。このように、オフラインという遊技場側の事情によって、遊技者の動作が制限されていることになる。
【０００６】
この発明はこのような従来技術を考慮したものであって、あるユニットと管理装置との通信のオフライン状態が発生した場合であっても、通常のオンライン状態の場合と同様に遊技者が遊技を可能とし、遊技者の動作を阻害しないようにした、遊技者管理システムを提供することを目的としたものである。
【課題を解決するための手段】
【０００７】
そこで、請求項１の発明は、所定の情報を書き込み可能な遊技者用記録媒体と、この遊技者用記録媒体を検知可能とするとともに遊技場に複数配置する遊技機に対応して配置する記録媒体処理装置と、前記記録媒体処理装置と通信可能な管理装置とから成り、前記遊技者用記録媒体は、当該遊技者を識別するための情報を記録する識別情報記録部と前記記録媒体処理装置が前記記録媒体排出指令手段から排出指令を受信したときに当該遊技者の持玉として保持している持玉情報を記録する持玉情報記録部と当該遊技者用記録媒体を排出した前記記録媒体処理装置がその排出時点における前記管理装置との通信状態を記録する通信状態記録部とを備え、前記記録媒体処理装置は、前記遊技者用記録媒体を検知する検知部と、前記記録媒体排出指令検知部と、前記遊技者用記録媒体に対する書込み読出し部と、前記管理装置との送受信を行う通信部と、前記管理装置との通信状態を判定する状態判定部とを備え、前記記録媒体処理装置は、前記検知部により前記遊技者用記録媒体を検知すると、前記状態判定部が当該記録媒体処理装置と前記管理装置との通信状態の判定を行い、この判定で通信不可能状態と判定されると、前記書込み読出し部が当該記録媒体処理装置と前記管理装置とが通信不能状態である旨を前記遊技者用記録媒体の通信状態記録部に記録するとともに、検知されている前記遊技者用記録媒体の持玉情報記録部に記録されている持玉情報を用いての遊技を許容する、遊技者管理システムとした。  
【０００８】
また、請求項２の発明は、所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記記録媒体処理装置と通信可能な管理装置と、前記記録媒体処理装置と通信可能とし、前記各遊技機に対応して配置された各台計数機とから成り、前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部と、当該遊技者用記録媒体を排出した前記記録媒体処理装置がその排出時点における前記管理装置との通信状態を記録する通信状態記録部とを備え、前記記録媒体処理装置は、前記遊技者用記録媒体を検知する検知部と、前記記録媒体排出指令検知部と、持玉数演算部と、前記遊技者用記録媒体に対する書込み読出し部と、前記管理装置との送受信をする通信部と、前記管理装置との通信状態を判定する状態判定部と、遊技者による操作を不能化する処理を行う不能化制御部と、前記異常検知時の報知・表示制御部とを備え、前記管理装置は、前記記録媒体処理装置との送受信を行う通信部と、前記記録媒体処理装置毎の動作履歴を記憶する履歴情報記憶部と、前記記録媒体処理装置から受信した遊技者用記録媒体排出場所情報から当該遊技者用記録媒体を排出した記録媒体処理装置を特定し、当該記録媒体処理装置についての履歴情報記憶部に記憶している履歴情報と前記記録媒体処理装置から受信した遊技者の識別情報及び持玉情報との照合を行う照合部とを備え、第１の記録媒体処理装置は、前記記録媒体排出指令手段から排出指令を受信すると、排出場所が第１の記録媒体処理装置である旨を前記遊技者用記録媒体の前記遊技者用記録媒体排出場所情報記録部に記録して排出し、この排出された遊技者用記録媒体を検知した第２の記録媒体処理装置は、当該遊技者用記録媒体から読み出した所定情報を前記管理装置に送信し、前記管理装置は、この受信した前記遊技者用記録媒体排出場所情報から排出場所を特定するとともに、前記履歴情報記憶部からその特定された第１の記録媒体処理装置についての履歴を参照し、この履歴情報と受信した前記識別情報及び前記持玉情報とを照合し、照合の結果不一致の場合に前記第１の記録媒体処理装置に対して履歴情報の送信要求信号を送出し、前記第１の記録媒体処理装置からの応答がなければ前記第２の記録媒体処理装置に照会終了信号を送信し、この照合終了信号を受信した前記第２の記録媒体処理装置は検知されている前記遊技者用記録媒体の持玉情報記録部に記録されている持玉情報を用いての遊技を許容する、遊技者管理システムとした。
【０００９】
また、請求項３の発明は、所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記記録媒体処理装置と通信可能な管理装置と、前記記録媒体処理装置と通信可能とし、前記各遊技機に対応して配置された各台計数機とから成り、前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部と、当該遊技者用記録媒体を排出した前記記録媒体処理装置がその排出時点における前記管理装置との通信状態を記録する通信状態記録部とを備え、前記記録媒体処理装置は、前記遊技者用記録媒体を検知する検知部と、前記記録媒体排出指令検知部と、持玉数演算部と、前記遊技者用記録媒体に対する書込み読出し部と、前記管理装置との送受信をする通信部と、前記管理装置との通信状態を判定する状態判定部と、遊技者による操作を不能化する処理を行う不能化制御部と、前記異常検知時の報知・表示制御部とを備え、前記管理装置は、前記記録媒体処理装置との送受信を行う通信部と、前記記録媒体処理装置毎の動作履歴を記憶する履歴情報記憶部と、前記記録媒体処理装置から受信した遊技者用記録媒体排出場所情報から当該遊技者用記録媒体を排出した記録媒体処理装置を特定し、当該記録媒体処理装置についての履歴情報記憶部に記憶している履歴情報と前記記録媒体処理装置から受信した遊技者の識別情報及び持玉情報との照合を行う照合部とを備え、第１の記録媒体処理装置は、前記記録媒体排出指令手段から排出指令を受信すると、排出場所が第１の記録媒体処理装置である旨を前記遊技者用記録媒体の前記遊技者用記録媒体排出場所情報記録部に記録して排出し、この排出された遊技者用記録媒体を検知した第２の記録媒体処理装置は、当該遊技者用記録媒体から読み出した所定情報を前記管理装置に送信し、前記管理装置は、この受信した前記遊技者用記録媒体排出場所情報から排出場所を特定するとともに、前記履歴情報記憶部からその特定された第１の記録媒体処理装置についての履歴情報を参照し、この履歴情報と受信した前記識別情報及び前記持玉情報とを照合し、照合の結果不一致の場合に前記第１の記録媒体処理装置に対して履歴情報の送信要求信号を送出し、前記第１の記録媒体処理装置から履歴情報を受信した場合はその履歴情報と受信した前記識別情報及び持玉情報との照合を行い、照合の結果一致すると前記第２の記録媒体処理装置に照会終了信号を送信し、この照会終了信号を受信した前記第２の記録媒体処理装置は検知されている前記遊技者用記録媒体の持玉情報記録部に記録されている持玉情報を用いての遊技を許容する、遊技者管理システムとした。
【００１０】
また、請求項４の発明は、所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記記録媒体処理装置と通信可能な管理装置と、前記記録媒体処理装置と通信可能とし、前記各遊技機に対応して配置された各台計数機とから成り、  前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部と、当該遊技者用記録媒体を排出した前記記録媒体処理装置がその排出時点における前記管理装置との通信状態を記録する通信状態記録部とを備え、前記記録媒体処理装置は、前記遊技者用記録媒体を検知する検知部と、前記記録媒体排出指令検知部と、持玉数演算部と、前記遊技者用記録媒体に対する書込み読出し部と、前記管理装置との送受信をする通信部と、前記管理装置との通信状態を判定する状態判定部と、遊技者による操作を不能化する処理を行う不能化制御部と、異常検知時の報知・表示部とを備え、
前記管理装置は、前記記録媒体処理装置との送受信を行う通信部と、前記記録媒体処理装置毎の動作履歴を記憶する履歴情報記憶部と、前記記録媒体処理装置から受信した遊技者用記録媒体排出場所情報から当該遊技者用記録媒体を排出した記録媒体処理装置を特定し、当該記録媒体処理装置についての履歴情報記憶部に記憶している履歴情報と前記記録媒体処理装置から受信した遊技者の識別情報及び持玉情報との照合を行う照合部とを備え、第１の記録媒体処理装置は前記記録媒体排出指令手段から排出指令を受信すると、排出場所が第１の記録媒体処理装置である旨を前記遊技者用記録媒体の前記遊技者用記録媒体排出場所情報記録部に記録して排出し、この排出された遊技者用記録媒体を検知した第２の記録媒体処理装置は、当該遊技者用記録媒体から読み出した所定情報を前記管理装置に送信し、前記管理装置は、この受信した前記遊技者用記録媒体排出場所情報から排出場所を特定するとともに、前記履歴情報記憶部からその特定された第１の記録媒体処理装置についての履歴情報を参照し、この履歴情報と受信した前記識別情報及び前記持玉情報とを照合し、照合の結果不一致の場合に前記第１の記録媒体処理装置に対して履歴情報の送信要求信号を送出し、前記第１の記録媒体処理装置から履歴情報を受信した場合はその履歴情報と受信した前記識別情報及び前記持玉情報との照合を行い、照合の結果不一致の場合は前記第２の記録媒体処理装置に異常検知信号を送信し、この異常検知信号を受信した前記第２の記録媒体処理装置は、不能化制御部を動作させて当該第２の記録媒体処理装置の操作を不能化するとともに報知部により異常状態を報知する、遊技者管理システムとした。
【００１１】
また、請求項５の発明は、所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記各遊技機に対応して配置された各台計数機と、前記遊技者用記録媒体を読取可能とした景品交換を行うための景品処理装置と、この景品処理装置と通信可能な管理装置とから成り、前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部とを備え、前記景品処理装置は、前記遊技者用記録媒体に記載されている情報を読み出す読出し部と、景品交換処理部と、貯玉化処理部、前記管理装置との送受をする通信部と、報知部とを備え、前記管理装置は、前記景品処理装置との送受信をする通信部と、前記記録媒体処理装置毎の動作履歴を記憶する履歴情報記憶部と、前記景品処理装置から受信した遊技者用記録媒体排出場所情報から記録媒体処理装置を特定し、当該記録媒体処理装置についての履歴情報記憶部に記憶している履歴情報と前記景品処理装置から受信した遊技者の識別情報及び持玉情報との照合を行う照合部とを備え、前記記録媒体処理装置は、前記記録媒体排出指令手段から排出指令を受信すると、排出場所が当該記録媒体処理装置である旨を前記遊技者用記録媒体の前記遊技者用記録媒体排出場所情報記録部に記録して排出し、この排出された前記遊技者用記録媒体の記録情報が前記景品処理装置の読出し部で読み取られると、前記景品処理装置はこの読み取った所定情報を前記管理装置に送信し、前記管理装置は、この受信した前記遊技者用記録媒体排出場所情報から排出場所を特定するとともに、前記履歴情報記憶部からその特定された前記記録媒体処理装置についての履歴情報を参照し、この履歴情報と受信した前記識別情報及び前記持玉情報とを照合し、照合の結果不一致の場合に前記記録媒体処理装置に対して履歴情報の送信要求信号を送出し、前記記録媒体処理装置からの応答がなければ前記景品処理装置に照会終了信号を送信し、この照会終了信号を受信した前記景品処理装置は読み取った持玉情報を用いての景品交換処理又は貯玉化処理を許容する、遊技者管理システムとした。
【００１２】
また、請求項６の発明は、所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記各遊技機に対応して配置された各台計数機と、前記遊技者用記録媒体を読取可能とした景品交換を行うための景品処理装置と、この景品処理装置と通信可能な管理装置とから成り、前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部とを備え、前記景品処理装置は、前記遊技者用記録媒体に記載されている情報を読み出す読出し部と、景品交換処理部と、貯玉化処理部、前記管理装置との送受をする通信部と、報知部とを備え、前記管理装置は、前記景品処理装置との送受信をする通信部と、前記記録媒体処理装置毎の動作履歴を記憶する履歴情報記憶部と、前記景品処理装置から受信した遊技者用記録媒体排出場所情報から記録媒体処理装置を特定し、当該記録媒体処理装置についての履歴情報記憶部に記憶している履歴情報と前記景品処理装置から受信した遊技者の識別情報及び持玉情報との照合を行う照合部とを備え、前記記録媒体処理装置は、前記記録媒体排出指令手段から排出指令を受信すると、排出場所が当該記録媒体処理装置である旨を前記遊技者用記録媒体の前記遊技者用記録媒体排出場所情報記録部に記録して排出し、この排出された前記遊技者用記録媒体の記録情報が前記景品処理装置の読出し部で読み取られると、前記景品処理装置はこの読み取った所定情報を前記管理装置に送信し、前記管理装置は、この受信した前記遊技者用記録媒体排出場所情報から排出場所を特定するとともに、前記履歴情報記憶部からその特定された前記記録媒体処理装置についての履歴情報を参照し、この履歴情報と受信した前記識別情報及び前記持玉情報とを照合し、照合の結果不一致の場合に前記記録媒体処理装置に対して履歴情報の送信要求信号を送出し、前記記録媒体処理装置から履歴情報を受信した場合はその履歴情報と受信した前記識別情報及び持玉情報との照合を行い、照合の結果一致すると前記景品処理装置に照会終了信号を送信し、この照合終了信号を受信した前記景品処理装置は読み取った持玉情報を用いての景品交換処理又は貯玉化処理を許容する、遊技者管理システムとした。
【００１３】
また、請求項７の発明は、所定の情報を書き込み可能な遊技者用記録媒体と、この遊技者用記録媒体を検知可能とするとともに遊技場に複数配置する遊技機に対応して配置する記録媒体処理装置と、この記録媒体処理装置に対応して配置され、前記遊技者用記録媒体を前記記録媒体処理装置から排出する指令を記録媒体処理装置に対して入力可能な記録媒体排出指令手段と、前記各遊技機に対応して配置された各台計数機と、前記遊技者用記録媒体を読取可能とした景品交換を行うための景品処理装置と、この景品処理装置と通信可能な管理装置とから成り、前記遊技者用記録媒体は、当該遊技者を識別するための情報を記録する識別情報記録部と、前記記録媒体処理装置が前記記録媒体排出指令手段から排出指令を受信したときに当該遊技者の持玉として保持している持玉情報を記録する持玉情報記録部と、遊技者用記録媒体排出場所情報記録部とを備え、前記景品処理装置は、前記遊技者用記録媒体に記載されている情報を読み出す読出し部と、景品交換処理部と、貯玉化処理部、前記管理装置との送受をする通信部と、報知部とを備え、前記管理装置は、前記景品処理装置との送受信をする通信部と、前記記録媒体処理装置毎の動作履歴を記憶する履歴情報記憶部と、前記景品処理装置から受信した遊技者用記録媒体排出場所情報から記録媒体処理装置を特定し、当該記録媒体処理装置についての履歴情報記憶部に記憶している履歴情報と前記景品処理装置から受信した遊技者の識別情報及び持玉情報との照合を行う照合部とを備え、前記記録媒体処理装置は、前記記録媒体排出指令手段から排出指令を受信すると、排出場所が当該記録媒体処理装置である旨を前記遊技者用記録媒体の前記遊技者用記録媒体排出場所情報記録部に記録して排出し、この排出された前記遊技者用記録媒体の記録情報が前記景品処理装置の読出し部で読み取られると、前記景品処理装置はこの読み取った所定情報を前記管理装置に送信し、前記管理装置は、この受信した前記遊技者用記録媒体排出場所情報から排出場所を特定するとともに、前記履歴情報記憶部からその特定された前記記録媒体処理装置についての履歴情報を参照し、この履歴情報と受信した前記識別情報及び前記持玉情報とを照合し、照合の結果不一致の場合に前記記録媒体処理装置に対して履歴情報の送信要求信号を送出し、前記記録媒体処理装置から履歴情報を受信した場合はその履歴情報と受信した前記識別情報及び持玉情報との照合を行い、照合の結果不一致の場合は前記景品処理装置に異常検知信号を送信し、この異常検知信号を受信した前記景品処理装置は、報知部により異常状態を報知する、遊技者管理システムとした。
【発明の効果】
【００１４】
請求項１の発明によれば、あるユニット、つまり記録媒体処理装置と管理装置との通信が不可能な状態であると判定されても、前記ユニットに検知されている遊技者用記録媒体の持玉情報記録部に記録されている持玉数を自己の持玉として使用できる。従って、遊技者用記録媒体を入れたユニットが管理装置と通信不可能であるという遊技場の事情によって遊技者に不利益を与えない。また、これは、遊技機を途中で替えた場合であって、替える前の遊技機のユニットが管理装置と通信不可能であり、替えた後の遊技機のユニットも管理装置と通信不可能の場合も、前記と同様に、遊技者用記録媒体の持玉情報に対応する持玉数を自己の持玉として使用できる。したがって、ユニットと管理装置との通信が不可能な状態であっても、遊技者は自己の持玉を使用して遊技をすることが可能となる。
【００１５】
また、請求項２及び３の発明によれば、遊技機を途中で替えた場合であって、替える前の遊技機のユニット（第1の記録媒体処理装置）が管理装置と通信不可能な状態であって、替えた後の遊技機のユニット（第２の記録媒体処理装置）は管理装置と通信可能な状態である場合に、管理装置における第１の記録媒体処理装置の履歴情報と第２の記録媒体処理装置に入れた会員カードの持玉情報等の照会が不一致であって、第1の記録媒体処理装置に履歴情報の送信要求信号を送出しても、第１の記録媒体処理装置から応答が無い場合は、第２の記録媒体処理装置に検知された遊技者用記録媒体の持玉情報に対応する持玉数を自己の持玉として使用できる。また、第1の記録媒体処理装置に履歴情報の送信要求信号を送出して、第１の記録媒体処理装置から応答があり、第１の記録媒体処理装置の履歴情報と第２の記録媒体処理装置に検知された遊技者用記録媒体の持玉情報等と一致した場合も第２の記録媒体処理装置に検知された会員カードの持玉情報に対応する持玉数を自己の持玉として使用できる。これにより、替える前の遊技機の第1の記録媒体処理装置（ユニット）と管理装置との通信が不可能であっても、替えた後の遊技機の第２の記録媒体処理装置（ユニット）に検知された遊技者用記録媒体の持玉で遊技することが出来る。
【００１６】
また、請求項４の発明では、遊技機を途中で替えた場合であって、替える前の遊技機のユニット（第1の記録媒体処理装置）が管理装置と通信不可能な状態であって、替えた後の遊技機のユニット（第２の記録媒体処理装置）は管理装置と通信可能な状態である場合に、管理装置における第１の記録媒体処理装置の履歴情報と第２の記録媒体処理装置に入れた会員カードの持玉情報等の照会が不一致であって、第1の記録媒体処理装置に履歴情報の送信要求信号を送出して第１の記録媒体処理装置から応答があり、第１の記録媒体処理装置の履歴情報と第２の記録媒体処理装置に検知された遊技者用記録媒体の持玉情報等とが不一致の場合は、異常として取り扱い、遊技者は自己の持玉では当該遊技機を操作することができない。また、第２の記録媒体処理装置は異常を報知し、当該遊技場従業員がこれを処理できる。
【００１７】
また、請求項５及び６の発明は、景品処理装置に遊技者用記録媒体を検知された場合であって、使用していた遊技機の記録媒体処理装置（ユニット）が管理装置と通信不可能の場合、管理装置における前記記録媒体処理装置の履歴情報と景品処理装置に入れた会員カードの持玉情報等の照会が不一致であって、前記記録媒体処理装置に履歴情報の送信要求信号を送出しても、当該記録媒体処理装置から応答が無い場合は、景品処理装置に検知された遊技者用記録媒体の持玉情報に対応する持玉数を自己の持玉として取り扱ってもらえる。また、前記記録媒体処理装置に履歴情報の送信要求信号を送出して、当該記録媒体処理装置からの応答があり、当該記録媒体処理装置の履歴情報と景品処理装置に検知された会員カードの持玉情報等と一致した場合も景品処理装置に検知された遊技者用記録媒体の持玉情報に対応する持玉数を自己の持玉として取り扱ってもらえる。これにより、使用した遊技機の記録媒体処理装置（ユニット）と管理装置との通信が不可能であっても、遊技後の景品処理装置に検知された会員カードの持玉で景品交換や貯玉化することが出来、遊技者に不利益とならない。
【００１８】
また、請求項７の発明は、景品処理装置に遊技者用記録媒体を検知された場合であって、使用していた遊技機の記録媒体処理装置（ユニット）が管理装置と通信不可能の場合、管理装置における前記記録媒体処理装置の履歴情報と景品処理装置に検知された遊技者用記録媒体の持玉情報等の照会が不一致であって、前記記録媒体処理装置に履歴情報の送信要求信号を送出して当該記録媒体処理装置から応答があり、当該記録媒体処理装置の履歴情報と景品処理装置に検知された遊技者用記録媒体の持玉情報等とが不一致の場合は、異常として取り扱い、景品処理装置では、その遊技者用記録媒体では景品交換や貯玉化することは出来ない。また、当該景品処理装置は異常が報知され、当該遊技場の従業員がこれを処理できる。
【発明を実施するための最良の形態】
【００１９】
この発明は、記録媒体処理装置（ユニット）は、検知部により遊技者用記録媒体（会員カード）を検知すると、管理装置との通信状態を判定する状態判定部が当該記録媒体処理装置と前記管理装置との通信状態の判定を行い、この判定で通信不可能状態と判定されると、書込み読出し部が当該記録媒体処理装置と前記管理装置とが通信不可能状態である旨を遊技作用記録媒体の通信状態記録部に記録するとともに、検知されている遊技者用記録媒体の持玉情報記録部に記録されている持玉情報を用いての遊技を許容する、遊技者管理システムとした。
【実施例１】
【００２０】
以下、この発明の実施例１を図に基づいて説明する。
図１は、この発明の概略構成図である。
【００２１】
この発明の遊技者管理システムは、所定の情報を書込み可能な遊技者用記録媒体である会員カード１と、この会員カード１を挿入可能とするとともに遊技場に複数配置する遊技機２に対応して配置する記録媒体処理装置であるユニット３と、このユニット３に対応して配置され、前記会員カード２をユニット３から排出する指令をユニット３に対して入力可能な会員カード排出指令手段４と、前記ユニト３と通信可能な、当該遊技場の管理装置であるサーバー５と、前記ユニット３と通信可能とし、前記遊技機２に対応して配置された各台計数機６と、前記会員カード２を読取り可能とした景品交換を行うための景品処理装置であるＰＯＳ７とから成り、前記ユニット３、サーバー５及びＰＯＳ７はネットワーク８により相互に接続され、通信可能となっている。
【００２２】
前記会員カード１は、当該会員である遊技者を識別するための情報を記録する識別情報記録部１ａと、前記ユニット３が前記会員カード排出指令手段４から排出指令を受信したときに当該遊技者の持玉として保持している持玉情報を記録する持玉情報記録部１ｂと、会員カード排出場所情報記録部１ｃと、当該会員カード１を排出した時点における前記ユニット３と前記サーバー５との通信状態を記録する通信状態記録部１ｄ、及び通信部１ｅとを備えている。
【００２３】
また、前記ユニット３は、前記会員カード１の挿入を検知する検知部３ａと、前記カード排出指令検知部３ｂと、持玉演算部３ｃと、前記会員カード１に対する書込み読出し部３ｄと、前記サーバー５との送受信をする通信部３ｅと、前記サーバー５との通信状態を判定する状態判定部３ｆと、遊技者による操作を不能化する処理を行う不能化制御部３ｇと、異常検知時の報知・表示部３ｈとを備えている。そして、挿入された会員カード１の排出時に、当該ユニット３とサーバー５とが通信可能状態であれば、当該会員カード１の識別情報及び持玉情報等の履歴情報をサーバー５に送信するとともに、通信不可能状態であれば、ユニット３内に情報を一時的に保持する情報保持部３ｉに履歴情報を保持し、サーバー５との通信が可能な状態になった際、所定のタイミングで情報保持部３ｉに保持している履歴情報をサーバー５に対して送信する機能を備えている。
【００２４】
また、前記サーバー５は、前記ユニット３との送受信を行う通信部５ａと、会員の識別情報、会員氏名、その他の会員情報記憶部５ｂと、各種の制御を行う制御部５ｃと、前記ユニット３毎の動作履歴を記憶する履歴情報記憶部５ｄと、前記ユニット３から受信した会員カード排出場所情報から当該会員カード１を排出したユニット３を特定し、当該ユニット３についての履歴情報記憶部５ｄに記憶している履歴情報と前記ユニット３から受信した遊技者の識別情報及び持玉情報との照合を行う照合部５ｅとを備えている。そして、履歴情報記憶部５ｄは、前記ユニット３から受信した履歴情報を、ユニット３ごとに記憶している。
【００２５】
前記ＰＯＳ７は、前記会員カード１に記載されている情報を読み出す読出し部７ａと、景品交換処理部７ｂと、貯玉化処理部７ｃと、前記サーバー４との送受信を行う通信部７ｄと、異常状態等を報知する報知部７ｅとを備えている。
【００２６】
次に、本実施例の動作を図２に基づいて説明する。図２に示すように、前記カード検知部３ａにより前記会員カード１を挿入されたことを検知すると（ステップＳ１）、カード検知部３ａから前記書込み読出し部３ｄにカード検知信号が送信される。このカード検知信号を受信した書込み読出し部３ｄは、会員カード１に記憶されている情報を読み出して、前記情報保持部３ｉに送信する。情報保持部３ｉはこの受信した情報を保持する。また、前記カード検知信号が前記状態判定部３ｆにも送信され、状態判定部３ｆは当該ユニット３と前記サーバー５との通信状態の判定を行う（ステップＳ２）。そして、この判定で通信不可能状態と判定されると（ステップＳ３）、前記情報保持部３ｉに記憶されている持玉情報（ステップＳ４）を用いての遊技を許容する。
【００２７】
この遊技を行った遊技者が当該遊技機２での遊技をやめる場合、遊技者は会員カード１の排出操作を行う。この操作を会員カード排出指令手段４が検知すると、会員カード排出指令手段４はカード排出指令をユニット３に対して送信する。このカード排出指令をカード排出指令検知部３ｂが検知すると、ユニット３の状態判定部３ｆが当該ユニット３とサーバー５との通信状態を判定する。この判定により通信不可能状態と判定されると、ユニット３は書込み読出し部３ｄを動作させて、会員カード１の通信状態記録部１ｄに、当該ユニット３とサーバー５とが通信不可能である旨を記録し、当該会員カード１に情報を書き込んだ機器が当該ユニット３である旨を会員カード排出場所情報記録部１ｃに記録するとともに、ユニット３の情報保持部３ｉに保持している持玉情報から特定される持玉数が零より多い場合は、その持玉数を特定する情報を持玉情報記録部１ｂに記録する。
【実施例２】
【００２８】
実施例２の遊技者管理システムの構成は前記図１と同じであるが、この実施例２は遊技機２を途中で替えた場合であって、替える前の第１の遊技機２に対応する第１のユニット３がサーバー５と通信不可能な状態であって、替えた後の第２の遊技機２に対応する第２のユニットはサーバー５と通信可能な状態である場合である。
【００２９】
この場合、図３に示すように、第１のユニット３は、前記会員カード排出指令手段４から排出指令を受信すると（ステップＳ１１）、排出場所が当該第１のユニット３である旨を前記会員カード１の前記会員カード排出場所情報記録部１ｃに記録して（ステップＳ１２）排出する（ステップＳ１３）。遊技者はこの排出された会員カード１を持って、第２の遊技機２に移動する。この排出された会員カード１が挿入されたことをカード検知部３ａで検知した（ステップＳ１４）第２のユニット３は、当該会員カード１から読み出した会員の識別情報や持玉情報、会員カード排出場所情報等の所定情報を前記サーバー５に送信し（ステップＳ１５）、当該サーバー５は、この受信した会員カード排出場所情報から排出した第１のユニット３を特定する（ステップＳ１６）とともに、前記履歴情報記憶部５ｄからその特定された第１のユニット３についての履歴を参照し（ステップＳ１７）、この履歴情報と受信した前記識別情報及び持玉情報とを照合する（第１の照合、ステップＳ１８）。
【００３０】
この第１の照合の結果、不一致の場合（ステップ１９ａ）は、前記第１のユニット３に対して履歴情報の送信要求信号を送出し（ステップＳ２０）、前記第１のユニット３からの応答（ステップＳ２１）がなければ、前記第２のユニット３に照会終了信号を送信し、この照会終了信号を受信した第２のユニット３は挿入されている会員カード１の持玉情報記録部１ｂに記録されている持玉情報を用いての遊技を許容する。また、第１の照合（ステップＳ１８）で一致すれば（ステップＳ１９ｂ）照合終了信号を出す（ステップＳ２４）。これは、遊技者が第２のユニット３に移るまでに第１のユニット３がオンラインに復帰し、第１のユニット３内に保持していた履歴情報が既にサーバー５に送られており、その結果、第１の照合時には整合性が取れている場合である。
【００３１】
一方、前記と同様に第１の照合の結果が不一致の場合であり（ステップＳ１９ａ）、前記第１のユニット３に対して履歴情報の送信要求信号を送出し（ステップＳ２０）、前記第１のユニット３からの応答があり（ステップＳ２１）、履歴情報を受信した場合は、その履歴情報と前記受信した識別情報及び持玉情報との第２の照合（ステップＳ２２）を行い、第２の照合の結果が一致していれば（ステップＳ２３）、前記第２のユニット３に照会終了信号を送信し（ステップＳ２４）、この照会終了信号を受信した第２のユニット３は挿入されている会員カード１の持玉情報記録部１ｂに記録されている持玉情報を用いての遊技を許容する（ステップＳ２５）。
【００３２】
さらに、前記第２の照合（ステップＳ２２）の結果が不一致である場合は（ステップＳ２６）、第２のユニット３に異常検知信号を送信し（ステップＳ２７）、この異常検知信号を受信した第２のユニット３は不能化制御部を動作させて遊技者による操作を不能化する（ステップＳ２８）とともに報知・表示部により異常状態を報知、表示する（ステップＳ２９）。
【実施例３】
【００３３】
実施例３の遊技者管理システムの構成は前記図１と同じであるが、この実施例３は遊技者が遊技を終え、景品交換又は貯玉をする場合である。
【００３４】
前記ユニット３は、図４に示すように、前記会員カード排出指令手段４から排出指令を受信すると（ステップＳ３１）、排出場所が当該ユニット３である旨を前記会員カード１の会員カード排出場所情報記録部１ｃに記録して（ステップＳ３２）排出する（ステップＳ３３）。遊技者はこの排出された会員カード１を持って、ＰＯＳ７に行く。会員カード１の記録情報が前記ＰＯＳ７の読出し部７ａで読み取られると（ステップＳ３４）、当該ＰＯＳ７はこの読み取った会員の識別情報や持玉情報、会員カード排出場所情報等の所定情報を前記サーバー５に送信し（ステップＳ３５）、当該サーバー５は、この受信した前記会員カード排出場所情報から排出したユニット３を特定する（ステップＳ３６）とともに、前記履歴記憶部５ｄからその特定されたユニット３についての履歴を参照し（ステップＳ３７）、この履歴情報と受信した前記識別情報及び持玉情報とを照合する（第１の照合、（ステップＳ３８））。
【００３５】
この第１の照合の結果、不一致の場合（ステップＳ３９ａ）は、前記ユニット３に対して履歴情報の送信要求信号を送出し（ステップＳ４０）、前記ユニット３からの応答（ステップＳ４１）がなければ、前記ＰＯＳ７に照会終了信号を送信し（ステップＳ４４）、この照会終了信号を受信したＰＯＳ７は読み取った会員カード１の持玉情報を用いての景品交換処理部７ｂによる景品交換又は貯玉化処理部７ｃによる貯玉化処理を許容する（ステップＳ４５）。また、第１の照合（ステップＳ３８）で一致すれば（ステップＳ３９ｂ）照合終了信号を出す（ステップＳ４４）。これは、遊技者がＰＯＳ７に来るまでにユニット３がオンラインに復帰し、ユニット３内に保持していた履歴情報が既にサーバー５に送られており、その結果、第１の照合時には整合性が取れている場合である。
【００３６】
一方、前記と同様に第１の照合の結果が不一致の場合（ステップＳ３９）であり、前記ユニット３に対して履歴情報の送信要求信号を送出し（ステップＳ４０）、前記ユニット３から応答があり（ステップＳ４１）、履歴情報を受信した場合は、その履歴情報と前記受信した識別情報及び持玉情報との第２の照合を行い（ステップＳ４２）、第２の照合の結果が一致していれば（ステップＳ４３）、前記ＰＯＳ７に照会終了信号を送信し（ステップＳ４４）、この照会終了信号を受信したＰＯＳ７は読み取った会員カード１の持玉情報を用いての景品交換処理部７ｂによる景品交換又は貯玉化処理部７ｃによる貯玉化処理を許容する（ステップＳ４５）。
【００３７】
さらに、前記第２の照合（ステップＳ４２）の結果が不一致である場合（ステップＳ４６）は、ＰＯＳ７に異常検知信号を送信し（ステップＳ４７）、この異常検知信号を受信した（ステップＳ４８）ＰＯＳ７は報知部により異常状態を報知する（ステップＳ４９）。
【００３８】
なお、上記各実施例では、遊技者用記録媒体を会員カード１としたが、この遊技者用記録媒体は、会員カード１に限らず、他の形式の記録媒体も含まれる。例えば、非会員である遊技者がユニット３に現金を投入して玉貸しを受けた場合の残金や、遊技で獲得した持玉を保有した状態で、遊技を止めた際に排出されるＩＣコインの残金や持玉で遊技をする場合も適用できるものである。 
【００３９】
また、本上記各実施例では遊技機２とユニット３とを１対１の対応としているが、２台の遊技機２に対して１台のユニット３として構成することも可能である。
このときは、ユニット３にいずれの遊技機２での処理を行うものなのかを選択する遊技機選択操作部（図示省略）を設け、会員カード１のユニット３への挿入の前後いずれかのタイミングでこの遊技機選択操作部を操作することとなる。
【図面の簡単な説明】
【００４０】
【図１】この発明の実施例１の概略構成図である。
【図２】この発明の実施例１のフローチャート図である。
【図３】この発明の実施例２のフローチャート図である。
【図４】この発明の実施例３のフローチャート図である。
【符号の説明】
【００４１】
１      会員カード                １ａ    識別情報記録部
１ｂ    持玉情報記録部          １ｃ    会員カード排出場所情報記録部
１ｄ    通信状態記録部            １ｅ    通信部
２      遊技機                    ３      ユニット
３ａ    カード検知部              ３ｂ    カード排出指令検知部
３ｃ    持玉数演算部              ３ｄ    書込み読出し部
３ｅ    通信部                    ３ｆ    状態判定部
３ｇ    不能化制御部              ３ｈ    報知・表示部
３ｉ    情報保持部                ４      会員カード排出指令手段
５      サーバー                  ５ａ    会員情報記憶部
５ｂ    通信部                    ５ｃ    制御部  
５ｄ    履歴記憶部                ５ｅ    照合部
６      各台計数機                ７      ＰＯＳ
７ａ    読出し部                  ７ｂ    景品交換処理部
７ｃ    貯玉化処理部              ７ｄ    通信部
７ｅ    報知部                    ８      ネットワーク
【図１】
2010227434.tif 000003
【図２】
2010227434.tif 000004
【図３】
2010227434.tif 000005
【図４】
2010227434.tif 000006